(57)【要約】【課題】  本発明は、ヘルメット装着者に画像を表示するヘルメットディスプレイに関し、ヘルメット装着者の右側後方の画像と左側後方の画像を明確に識別することを目的とする。【解決手段】  ヘルメットを装着したヘルメット装着者の後方の画像を撮像する撮像手段と、前記ヘルメット装着者の右側となる位置に、前記撮像手段で撮像された前記ヘルメット装着者の後方右側の画像を左右反転して表示する右側表示部と、前記ヘルメット装着者の左側となる位置に、前記撮像手段で撮像された前記ヘルメット装着者の後方左側の画像を左右反転して表示する左側表示部とを有することを特徴とする。【選択図】      図２
2009163048.tif 000002
【特許請求の範囲】
【請求項１】
ヘルメットを装着したヘルメット装着者の後方の画像を撮像する撮像手段と、
前記ヘルメット装着者の右側となる位置に、前記撮像手段で撮像された前記ヘルメット装着者の後方右側の画像を左右反転して表示する右側表示部と、
前記ヘルメット装着者の左側となる位置に、前記撮像手段で撮像された前記ヘルメット装着者の後方左側の画像を左右反転して表示する左側表示部と、
を有することを特徴とするヘルメットディスプレイ。
【請求項２】
請求項１記載のヘルメットディスプレイにおいて、
前記右側表示部および左側表示部は、前記ヘルメットのヘルメットバイザーの右端および左端に設けられていることを特徴とするヘルメットディスプレイ。
【請求項３】
請求項１または請求項２記載のヘルメットディスプレイにおいて、
前記右側表示部および左側表示部に表示される画像は、前記撮像手段で撮影された１つの画像に基づいていることを特徴とするヘルメットディスプレイ。
【請求項４】
請求項１ないし請求項３のいずれか１項記載のヘルメットディスプレイにおいて、
前記撮像手段は、前記ヘルメットに配置されていることを特徴とするヘルメットディスプレイ。
【請求項５】
請求項１ないし請求項４のいずれか１項記載のヘルメットディスプレイにおいて、
前記右側表示部および左側表示部に表示される画像の位置または大きさを指示する指示手段を有することを特徴とするヘルメットディスプレイ。
【発明の詳細な説明】
【技術分野】
【０００１】
本発明は、ヘルメット装着者に画像を表示するヘルメットディスプレイに関する。
【背景技術】
【０００２】
従来、ヘルメット内部に表示装置を設け、この表示装置に車速等の情報を表示させる自動二輪車用のヘルメットディスプレイが知られている。また、表示装置に自動二輪車の後方の画像を表示するヘルメットディスプレイが知られている。
【特許文献１】特開２０００−２８４２１４号公報
【発明の開示】
【発明が解決しようとする課題】
【０００３】
しかしながら、従来のヘルメットディスプレイでは、ヘルメット装着者の後方の画像をヘルメット装着者の前方に単に表示しているため、ヘルメット装着者の右側後方の画像と左側後方の画像を明確に識別するのが困難であるという問題があった。
【０００４】
本発明は、かかる従来の問題を解決するためになされたもので、ヘルメット装着者の右側後方の画像と左側後方の画像を明確に識別することができるヘルメットディスプレイを提供することを目的とする。
【課題を解決するための手段】
【０００５】
第１の発明のヘルメットディスプレイは、ヘルメットを装着したヘルメット装着者の後方の画像を撮像する撮像手段と、前記ヘルメット装着者の右側となる位置に、前記撮像手段で撮像された前記ヘルメット装着者の後方右側の画像を左右反転して表示する右側表示部と、前記ヘルメット装着者の左側となる位置に、前記撮像手段で撮像された前記ヘルメット装着者の後方左側の画像を左右反転して表示する左側表示部とを有することを特徴とする。
【０００６】
第２の発明のヘルメットディスプレイは、第１の発明のヘルメットディスプレイにおいて、前記右側表示部および左側表示部は、前記ヘルメットのヘルメットバイザーの右端および左端に設けられていることを特徴とする。
【０００７】
第３の発明のヘルメットディスプレイは、第１または第２の発明のヘルメットディスプレイにおいて、前記右側表示部および左側表示部に表示される画像は、前記撮像手段で撮影された１つの画像に基づいていることを特徴とする。
【０００８】
第４の発明のヘルメットディスプレイは、第１ないし第３のいずれか１の発明のヘルメットディスプレイにおいて、前記撮像手段は、前記ヘルメットに配置されていることを特徴とする。
【０００９】
第５の発明のヘルメットディスプレイは、第１ないし第４のいずれか１の発明のヘルメットディスプレイにおいて、前記右側表示部および左側表示部に表示される画像の位置または大きさを指示する指示手段を有することを特徴とする。
【発明の効果】
【００１０】
本発明では、ヘルメット装着者の右側後方の画像と左側後方の画像を明確に識別することができる。
【発明を実施するための最良の形態】
【００１１】
以下、本発明の一実施形態を図面を用いて詳細に説明する。
【００１２】
図１ないし図３は、本発明のヘルメットディスプレイの一実施形態を備えたヘルメット１１を示している。
【００１３】
ヘルメット１１は、ヘルメット本体１３、ヘルメットバイザー１５、撮像カメラ１７、画像制御部１９を有している。
【００１４】
ヘルメット本体１３は、自動二輪車の運転手の頭部Ｈに装着されて使用される。ヘルメット本体１３の前側には、前方を目視するための窓部１３ａが開口されている。窓部１３ａにはヘルメットバイザー１５が配置されている。ヘルメットバイザー１５は、窓部１３ａを覆う位置と覆わない位置とに移動可能とされている。ヘルメット本体１３の上側後部には、撮像カメラ１７が配置されている。撮像カメラ１７はヘルメット１１を装着したヘルメット装着者Ｍの後方の画像を撮像する。画像制御部１９はヘルメット１１の上面に配置されている。画像制御部１９は撮像カメラ１７およびヘルメットバイザー１５に図示しない配線を介して接続されている。
【００１５】
ヘルメットバイザー１５には、図２および図３に示すように、右側表示部２１、中央表示部２３、左側表示部２５が設けられている。
【００１６】
右側表示部２１は、図２に示すようにヘルメットバイザー１５の右端に配置されている。左側表示部２５は、図３に示すようにヘルメットバイザー１５の左端に配置されている。中央表示部２３は、ヘルメットバイザー１５の中央に配置されている。中央表示部２３はヘルメットバイザー１５の上部中央に配置されているが、例えば下部中央に配置しても良い。
【００１７】
右側表示部２１、中央表示部２３、左側表示部２５は、それぞれ表示素子２７、レンズ２９、ハーフミラー３１を有している。
【００１８】
表示素子２７は、液晶，ＬＥＤ等からなり、画像制御部１９で画像処理された画像を表示する。ハーフミラー３１は、表示素子２７に表示された画像を反射して、ヘルメット装着者Ｍの目Ｉに導く。レンズ２９は、凸レンズからなり波面変換器としての機能を有している。すなわち、ハーフミラー３１の位置で視覚情報を結像させるとヘルメット装着者Ｍは、前方の風景に焦点を合わせている状態から急激に視点距離を近づける必要がある。しかしながら、レンズ２９を配置することで、ヘルメット装着者Ｍは視覚情報が数ｍ先の距離にあるように見えることになる。従って、視覚情報が見やすくなり、ヘルメット装着者Ｍの目Ｉにかかる負担を軽減することができる。
【００１９】
図４は、ヘルメット装着者Ｍがヘルメットバイザー１５から外部を見た風景を示している。ヘルメットバイザー１５の前方には、自動車３３が走行している。また、左側には、歩行者３５が存在している。ヘルメットバイザー１５には、右側表示部２１、中央表示部２３、左側表示部２５の位置が点線で示されている。この状態は、画像制御部１９に配置される電源スイッチＳＷ(図２および図３に示す)がオフの状態であり、表示素子２７には画像が表示されていない。従って、右側表示部２１、中央表示部２３、左側表示部２５には、ハーフミラー３１の前方の風景が見えている。
【００２０】
図５は、電源スイッチＳＷをオンにした状態を示している。右側表示部２１、中央表示部２３、左側表示部２５には、表示素子２７に表示された画像が表示されている。右側表示部２１には、撮像カメラ１７で撮像されたヘルメット装着者Ｍの後方右側の画像が左右反転して表示されている。左側表示部２５には、撮像カメラ１７で撮像されたヘルメット装着者Ｍの後方左側の画像が左右反転して表示されている。中央表示部２３には、撮像カメラ１７で撮像されたヘルメット装着者Ｍの後方の左右を除いた画像が左右反転して表示されている。
【００２１】
図６は、撮像カメラ１７で撮像されたヘルメット装着者Ｍの後方の画像Ｇを示している。画像Ｇの中央には、自動車３７が走行している。また、右側には、歩行者３９が存在している。この画像Ｇは、画像制御部１９において画像処理され、右側表示部２１、中央表示部２３、左側表示部２５に出力される。右側表示部２１には、図６の左側の点線で囲まれた領域Ａの画像が切り取られ、左右反転および縮小されて表示される。左側表示部２５には、図６の右側の点線で囲まれた領域Ｂの画像が切り取られ、左右反転および縮小されて表示される。中央表示部２３には、図６の中央の点線で囲まれた領域Ｃの画像が切り取られ、左右反転および縮小されて表示される。
【００２２】
図７は、画像制御部１９の構成を示すブロック図である。
【００２３】
画像制御部１９は、画像入力部４１、画像取り込み部４３、画像変換部４５、画像出力部４７を有している。そして、画像出力部４７には、画像位置指示ダイヤル４９、画像サイズ指示ダイヤル５１が接続されている。画像位置指示ダイヤル４９、画像サイズ指示ダイヤル５１は、図２および図３に示すように右側表示部２１、中央表示部２３、左側表示部２５にそれぞれ配置されている。
【００２４】
画像入力部４１は、撮像カメラ１７で撮像されたヘルメット装着者Ｍの後方の画像Ｇを入力する。この画像Ｇは、図６に示すような画像である。画像入力部４１は、予め定められた所定時間を置いて連続的に画像Ｇを入力する。
【００２５】
画像取り込み部４３は、画像入力部４１に入力された画像Ｇから必要な画像を切り取って取り込む。必要な画像は、図６の左側の点線で囲まれた領域Ａの画像、図６の右側の点線で囲まれた領域Ｂの画像、図６の中央の点線で囲まれた領域Ｃの画像である。
【００２６】
画像変換部４５は、画像取り込み部４３に取り込まれた領域Ａの画像、領域Ｂの画像、領域Ｃの画像を左右反転するとともに、所定の大きさに縮小する。
【００２７】
画像出力部４７は、画像変換部４５で変換された領域Ａの画像、領域Ｂの画像、領域Ｃの画像を、右側表示部２１、中央表示部２３、左側表示部２５の表示素子２７に出力する。
【００２８】
画像位置指示ダイヤル４９は、表示素子２７に表示される画像の位置を変更する。画像位置指示ダイヤル４９の操作により画像出力部４７は表示素子２７上の画像の位置を変化する。従って、ヘルメット装着者Ｍは、自身にとって最適な位置に画像を表示することが可能になる。
【００２９】
画像サイズ指示ダイヤル５１は、表示素子２７に表示される画像の大きさを変更する。画像サイズ指示ダイヤル５１の操作により画像出力部４７は表示素子２７上の画像の大きさを変化する。従って、ヘルメット装着者Ｍは、自身にとって最適な大きさの画像を表示することが可能になる。
【００３０】
上述したヘルメットディスプレイでは、図５に示すように、ヘルメットバイザー１５の右側表示部２１に、撮像カメラ１７で撮像されたヘルメット装着者Ｍの後方右側の画像が左右反転して表示され、また、左側表示部２５に、撮像カメラ１７で撮像されたヘルメット装着者Ｍの後方左側の画像が左右反転して表示される。従って、後方を振り返ることなく後方の状況を知ることが可能になり安全性を高めることができる。そして、ヘルメット装着者Ｍの後方の画像Ｇをヘルメット装着者Ｍの前方に単に表示する場合に比較して、ヘルメット装着者Ｍの右側後方の画像と左側後方の画像を明確に識別することができる。そして、この表示の状態は、４輪自動車のサイドミラーの表示の感覚に近い状態であり、運転者にとって違和感が少ないものとなる。
【００３１】
上述したヘルメットディスプレイでは、右側表示部２１、左側表示部２５を、ヘルメット１１のヘルメットバイザー１５の右端および左端に設けたので、右側表示部２１および左側表示部２５が組み込まれたヘルメットバイザー１５をヘルメット本体１３に取り付けることにより、ヘルメット本体１３への組み付けが可能になる。従って、右側表示部２１および左側表示部２５をヘルメット本体１３側に設ける場合に比較して、組み付けを容易なものにすることができる。
【００３２】
上述したヘルメットディスプレイでは、右側表示部２１および左側表示部２５に表示される画像を、撮像カメラ１７で撮影された１つの画像Ｇに基づいて作製したので、撮像カメラ１７を１台にすることができる。従って、装置を安価にすることができる。
【００３３】
上述したヘルメットディスプレイでは、撮像カメラ１７をヘルメット本体１３に配置したので、カメラの視線位置が目に近くなり、撮像カメラ１７を自動二輪車に取り付ける場合に比較して違和感を少なくすることができる。また、ヘルメット本体１３に配置される画像制御部１９への回路の接続を容易なものにすることができる。
(実施形態の補足事項)
以上、本発明を上述した実施形態によって説明してきたが、本発明の技術的範囲は上述した実施形態に限定されるものではなく、例えば、以下のような形態でも良い。
【００３４】
(１)上述した実施形態では、自動二輪車用のヘルメット１１に本発明を適用した例について説明したが、本発明は、例えば自転車等のヘルメットにも広く適用することができる。
【００３５】
(２)上述した実施形態では、撮像カメラ１７をヘルメット１１に配置した例について説明したが、例えば自動二輪車の後部に配置しても良い。
【００３６】
(３)上述した実施形態では、ヘルメット１１のヘルメットバイザー１５に右側表示部２１および左側表示部２５を配置した例について説明したが、例えば、ヘルメット本体１３の内側のヘルメットバイザー１５の近傍に右側表示部および左側表示部を配置しても良い。
【００３７】
(４)上述した実施形態では、撮像カメラ１７を１つ設け、撮像された１つの画像Ｇを切り分けて右側表示部２１および左側表示部２５に表示した例について説明したが、例えば、右側表示部２１用の撮像カメラおよび左側表示部２５用の撮像カメラをそれぞれ設けても良い。
【００３８】
(５)上述した実施形態では、画像取り込み部４３に取り込まれた画像を左右反転した例について説明したが、例えば撮像カメラ１７で撮像された画像Ｇを左右反転した後、画像取り込み部に取り込むようにしても良い。
【００３９】
(６)上述した実施形態では、撮像カメラ１７、画像制御部１９、表示素子２７を配線で接続した例について説明したが、例えば無線通信で接続するようにしても良い。
【図面の簡単な説明】
【００４０】
【図１】本発明のヘルメットディスプレイの一実施形態を備えたヘルメットを縦断面で示す説明図である。
【図２】図１のヘルメットを右側から見て示す説明図である。
【図３】図１のヘルメットを左側から見て示す説明図である。
【図４】図１のヘルメットバイザーの電源のオフ時における状態を示す説明図である。
【図５】図１のヘルメットバイザーの電源のオン時における状態を示す説明図である。
【図６】撮像カメラにより撮像されたヘルメット装着者の後方の画像を示す説明図である。
【図７】図１の画像制御部の構成を示す説明図である。
【符号の説明】
【００４１】
１１…ヘルメット、１３…ヘルメット本体、１５…ヘルメットバイザー、１７…撮像カメラ、１９…画像制御部、２１…右側表示部、２３…中央表示部、２５…左側表示部、４９…画像位置指示ダイヤル、５１…画像サイズ指示ダイヤル。
【図１】
2009163048.tif 000003
【図２】
2009163048.tif 000004
【図３】
2009163048.tif 000005
【図４】
2009163048.tif 000006
【図５】
2009163048.tif 000007
【図６】
2009163048.tif 000008
【図７】
2009163048.tif 000009